(57)【要約】【課題】更なるストッパー機構を容易に後付けすることができるシングルレバー混合水栓用回転ストッパーを提供することを目的とする。【解決手段】小径円筒部と大径円筒部と小径円筒部の一端と大径円筒部の一端とを連結する円環部とから成るケーシングと、ケーシングの大径円筒部内に収容されたディスク式バルブ機構と、小径円筒部の他端からケーシング外へ突出するバルブ機構駆動ロッドと、バルブ機構駆動ロッドが相対揺動可能に且つ相対回転不能に挿通されると共に回転摺動可能に前記小径円筒部によって支持されるレバーガイドとを有するシングルレバー混合水栓用ディスク式バルブユニットのケーシング小径円筒部の他端部内周面に形成された突起と、レバーガイドに形成された前記突起との係合面とを備える。【選択図】　図１
2004092693.tif 000002
【特許請求の範囲】
【請求項１】
小径円筒部と大径円筒部と小径円筒部の一端と大径円筒部の一端とを連結する円環部とから成るケーシングと、ケーシングの大径円筒部内に収容されたディスク式バルブ機構と、小径円筒部の他端からケーシング外へ突出するバルブ機構駆動ロッドと、バルブ機構駆動ロッドが相対揺動可能に且つ相対回転不能に挿通されると共に回転摺動可能に前記小径円筒部によって支持されるレバーガイドとを有するシングルレバー混合水栓用ディスク式バルブユニットのケーシング小径円筒部の他端部内周面に形成された突起と、レバーガイドに形成された前記突起との係合面とを備えることを特徴とするシングルレバー混合水栓用回転ストッパー。
【請求項２】
請求項１に記載のシングルレバー混合水栓用回転ストッパーの前記突起と前記係合面との間に嵌挿可能なスペーサーを備えることを特徴とするシングルレバー混合水栓用回転ストッパー。
【請求項３】
シングルレバー混合水栓用ディスク式バルブユニットのケーシング小径円筒部の他端部に係止可能な係止部を備えることを特徴とする請求項２に記載のシングルレバー混合水栓用回転ストッパー。
【請求項４】
前記係止部は、前記ケーシング小径円筒部の他端部に外嵌合固定可能な環状部材であり、スペーサーは環状部材の内周に形成された突起であり、当該突起は、環状部材が前記小径円筒部に外嵌合固定された状態で小径円筒部の他端部を跨いでいることを特徴とする請求項３に記載のシングルレバー混合水栓用回転ストッパー。
【請求項５】
前記ケーシング小径円筒部の外周面に形成されたスプラインに係合可能なスプラインを備えることを特徴とする請求項３又は４に記載のシングルレバー混合水栓用回転ストッパー。
【請求項６】
請求項１乃至５の何れか１項に記載の回転ストッパーを備えることを特徴とするシングルレバー混合水栓。
【発明の詳細な説明】
【０００１】
【発明の属する技術分野】
本発明は、シングルレバー混合水栓用回転ストッパーに関するものである。
【０００２】
【従来の技術】
シングルレバー混合水栓は、一般に小径円筒部と大径円筒部と小径円筒部の一端と大径円筒部の一端とを連結する円環部とから成るケーシングと、ケーシングの大径円筒部内に収容されたディスク式バルブ機構と、小径円筒部の他端からケーシング外へ突出するバルブ機構駆動ロッドと、バルブ機構駆動ロッドが相対揺動可能に且つ相対回転不能に挿通されると共に回転摺動可能に前記小径円筒部によって支持されるレバーガイドとを有するディスク式バルブユニットと、バルブ機構駆動ロッドに固定される操作レバーとを備えている。操作レバーを上下に揺動させて吐出水流量を調節し、操作レバーを左右に回転させて吐出水温度を調節する。
ケーシングの大径円筒部内周面に形成された突起と、レバーガイドに形成された前記突起との係合面とを備え、操作レバーの過大な回転を阻止するシングルレバー混合水栓用回転ストッパーが特開平１０−７８１６１号に開示されている。
【０００３】
【発明が解決しようとする課題】
特開平１０−７８１６１号の回転ストッパーには、ストッパー機構がケーシングの大径円筒部内に在るので、操作レバーの回転範囲を更に規制して熱湯の吐出を阻止したい場合等に、更なるストッパー機構を容易に後付けすることができないという問題がある。
本発明は上記問題に鑑みてなされたものであり、更なるストッパー機構を容易に後付けすることができるシングルレバー混合水栓用回転ストッパーを提供することを目的とする。また本発明は、上記シングルレバー混合水栓用回転ストッパーに容易に後付け可能なシングルレバー混合水栓用回転ストッパーを提供することを目的とする。
【０００４】
【課題を解決するための手段】
上記課題を解決するために、本発明においては、小径円筒部と大径円筒部と小径円筒部の一端と大径円筒部の一端とを連結する円環部とから成るケーシングと、ケーシングの大径円筒部内に収容されたディスク式バルブ機構と、小径円筒部の他端からケーシング外へ突出するバルブ機構駆動ロッドと、バルブ機構駆動ロッドが相対揺動可能に且つ相対回転不能に挿通されると共に回転摺動可能に前記小径円筒部によって支持されるレバーガイドとを有するシングルレバー混合水栓用ディスク式バルブユニットのケーシング小径円筒部の他端部内周面に形成された突起と、レバーガイドに形成された前記突起との係合面とを備えることを特徴とするシングルレバー混合水栓用回転ストッパーを提供する。
レバーガイドに形成された係合面がケーシング小径円筒部に形成された突起と係合することにより、操作レバーの過大に回転が阻止される。ストッパー機構が、ケーシング小径円筒部の、大径円筒部から離隔する側の端部に在るので、操作レバーの回転範囲を更に規制して熱湯の吐出を阻止したい場合等に、更なるストッパー機構を容易に後付けすることができる。
【０００５】
本発明においては、前記シングルレバー混合水栓用回転ストッパーの前記突起と前記係合面との間に嵌挿可能なスペーサーを備えることを特徴とするシングルレバー混合水栓用回転ストッパーを提供する。
スペーサーが前記シングルレバー混合水栓用回転ストッパーの前記突起と前記係合面との間に嵌挿されることにより、操作レバーの回転範囲が更に規制される。上記構成を有する回転ストッパーは、前記のシングルレバー混合水栓用回転ストッパーに容易に後付けすることができる。
【０００６】
本発明の好ましい態様においては、前記スペーサーを備える回転ストッパーは、シングルレバー混合水栓用ディスク式バルブユニットのケーシング小径円筒部の他端部に係止可能な係止部を備える。
前記スペーサーを備える回転ストッパーが、シングルレバー混合水栓用ディスク式バルブユニットのケーシング小径円筒部の他端部に係止されることにより、前記スペーサーを備える回転ストッパーの作動が安定する。
【０００７】
本発明の好ましい態様においては、前記係止部は、前記ケーシング小径円筒部の他端部に外嵌合固定可能な環状部材であり、スペーサーは環状部材の内周に形成された突起であり、当該突起は、環状部材が前記小径円筒部に外嵌合固定された状態で小径円筒部の他端部を跨いでいる。
シングルレバー混合水栓用ディスク式バルブユニットのケーシング小径円筒部の他端部に外嵌合固定可能な環状部材から成る係止部は、ケーシング小径円筒部の他端部に容易に係止可能である。環状部材が前記小径円筒部に外嵌合固定された状態で、スペーサーを形成する突起が小径円筒部の他端部を跨ぐことにより、スペーサーは前記突起と前記係合面との間に嵌挿される。
【０００８】
本発明の好ましい態様においては、前記係止部を備える回転ストッパーは、前記ケーシング小径円筒部の外周面に形成されたスプラインに係合可能なスプラインを備える。
シングルレバー混合水栓用ディスク式バルブユニットのケーシング小径円筒部外周面に予めスプラインを形成しておけば、前記係止部を備える回転ストッパーのケーシング小径円筒部に対する周方向の係止位置を容易に調整することができ、吐出水温度の最高値を容易に調整することができる。
【０００９】
本発明においては、前記何れかの回転ストッパーを備えるシングルレバー混合水栓を提供する。
本発明に係るシングルレバー混合水栓においては、操作レバーの回転範囲を更に規制して熱湯の吐出を阻止したい場合等に、更なるストッパー機構を容易に後付けすることができる。更なるストッパー機構が後付けされたシングルレバー混合水栓においては、熱湯の吐出等が阻止される。
【００１０】
【発明の実施の形態】
本発明の実施例に係るシングルレバー混合水栓用回転ストッパーを説明する。
図１に示すように、シングルレバー混合水栓用ディスク式バルブユニット１００は、小径円筒部１０１ａと大径円筒部１０１ｂと小径円筒部１０１ａの一端と大径円筒部１０１ｂの一端とを連結する円環部１０１ａｂとから成るケーシング１０１と、ケーシングの大径円筒部１０１ｂ内に収容された図示しないディスク式バルブ機構と、小径円筒部１０１ａの他端からケーシング１０１外へ突出するバルブ機構駆動ロッド１０２と、バルブ機構駆動ロッド１０２が相対揺動可能に且つ相対回転不能に挿通されると共に、回転摺動可能に小径円筒部１０１ａによって支持されるレバーガイド１０３とを有している。図２に示すように、バルブユニット１００は、シングルレバー混合水栓本体２００の先端に螺合するユニット押さえ２０１により、シングルレバー混合水栓本体２００に係止されている。バルブ機構駆動ロッド１０２の先端に、ネジ３０１を用いて、シングルレバー混合水栓の操作レバー３００のボス部３０２が固定されている。
【００１１】
図１に示すように、レバーガイド１０３の、小径円筒部１０１ａの他端部を介して外部環境に暴露される端部の一部が所定周方向長さと所定軸方向長さに亘って切り欠かれ、一対の回転ストッパー面１０３ａ、１０３ｂが形成されている。小径円筒部１０１ａの他端部内周面に、回転ストッパー面１０３ａ、１０３ｂに係合可能なストッパー突起１０１ｃが形成されている。回転ストッパー面１０３ａ、１０３ｂとストッパー突起１０１ｃとにより、第１回転ストッパーが形成されている。第１回転ストッパーの回転ストッパー面１０３ａ、１０３ｂが、回転ストッパー突起１０１ｃに係合することにより、バルブ機構駆動ロッド１０２ひいては操作レバー３００の過大回転が阻止される。
第１回転ストッパーのストッパー機構は、ケーシング小径円筒部１０１ａの、大径円筒部１０１ｂから離隔する側の端部に在るので、操作レバー３００の回転範囲を更に規制して熱湯の吐出を阻止したい場合等に、操作レバー３００をバルブ機構駆動ロッド１０２から取り外して、更なるストッパー機構を第１回転ストッパーに容易に後付けすることができる。
【００１２】
小径円筒部１０１ａの外周面にスプライン１０１ｄが形成されている。
第１回転ストッパーに後付け可能な第２回転ストッパー１は、図３に示すように、ケーシング小径円筒部１０１ａの他端部に係止可能な環状部材１ａを備えている。環状部材１ａの一端に内フランジ１ｂが形成されている。内フランジ１ｂの内縁から環状部材１ａの他端へ向けて回転ストッパー突起１ｃが延びている。スプライン１０１ｄに係合可能なスプライン１ｄが環状部材１ａの内周面に形成されている。
【００１３】
第２回転ストッパー１の後付け作業を説明する。
ネジ３０１を緩め、ボス部３０２をバルブ機構駆動ロッド１０２から抜き出して、既存のシングルレバー混合水栓から操作レバー３００を取り外す。既存のディスクバルブユニットのケーシング小径円筒部１０１ａが、ユニット押さえ２０１の端部でシングルレバー混合水栓本体２００から外部へ露出する。
第２回転ストッパー１のスプライン１ｄをスプライン１０１ｄに緊密に係合させて、第２回転ストッパー１をバルブユニットケーシングの小径円筒部１０１ａに外嵌合固定する。図４に示すように、第２回転ストッパー１の回転ストッパー突起１ｃが、小径円筒部１０１ａの端部を跨いで、第１回転ストッパーの回転ストッパー突起１０１ｃと回転ストッパー面１０３ｂとの間に嵌挿され、回転ストッパー突起１０１ｃに隣接する。回転ストッパー突起１ｃは、回転ストッパー突起１０１ｃと回転ストッパー面１０３ｂとの間に嵌挿されたスペーサーとして機能し、環状部材１ａはケーシング小径円筒部１０１ａの他端部に係止可能な係止部として機能する。
ネジ３０１を用いて操作レバー３００のボス部３０２をバルブ機構駆動ロッド１０２に固定する。
【００１４】
図５に示すように、第１回転ストッパーの回転ストッパー面１０３ｂが第２回転ストッパー１の回転ストッパー突起１ｃに係合することにより、操作レバー３００の吐出水温度上昇方向への回転が規制され、熱湯の吐出が阻止される。
第２回転ストッパー１は、上記説明から分かるように、第１回転ストッパーに容易に後付け可能である。
第２回転ストッパー１がケーシング小径円筒部１０１ａの他端部に係止されることにより、第２回転ストッパー１の遊動や脱落が阻止され、第２回転ストッパー１の作動が安定する。
ディスク式バルブユニット１００のケーシング小径円筒部１０１ａ外周面に予めスプライン１０１ｄを形成しているので、図６に示すように、第２回転ストッパー１のケーシング小径円筒部１０１ａに対する周方向の係止位置を容易に調整することができ、ひいては回転ストッパー突起１ｃと回転ストッパー面１０３ｂとの周方向相対位置を容易に調整することができ、吐出水温度の最高値を容易に調整することができる。
【００１５】
図７に示すように、レバーガイド１０３の、小径円筒部１０１ａの他端部を介して外部環境に暴露される端部の一部に形成された切欠内に、且つ回転ストッパー突起１０１ｃと回転ストッパー面１０３ａ又は１０３ｂとの間に嵌挿可能なスペーサー２のみにより、第２回転ストッパーを形成しても良い。図７（ａ）、（ｂ）から分かるように、回転ストッパー面１０３ａ又は１０３ｂがスペーサー２に係合し、スペーサー２が回転ストッパー突起１０１ｃに係合することにより、操作レバー３００の吐出水温度上昇方向への回転が規制され、熱湯の吐出が阻止される。
スペーサー２を前記切欠の底部へ向けて裾広がりの楔形とし、回転ストッパー突起１０１ｃのスペーサー２との係合面と、回転ストッパー面１０３ａ又は１０３ｂとを斜面とすることにより、回転ストッパー面１０３ａ又は１０３ｂがスペーサー２に係合し、スペーサー２が回転ストッパー突起１０１ｃに係合する際に、スペーサー２が、前記切欠から押し出されるのを防止することができる。
スペーサー２をコ字断面に形成し、両脚部でケーシング小径円筒部１０１ａの他端部を挟んで、スペーサー２を前記他端部に係止させても良い。回転ストッパー面１０３ａ又は１０３ｂがスペーサー２に係合することにより、操作レバー３００の吐出水温度上昇方向への回転が規制され、熱湯の吐出が阻止される。スペーサー２がケーシング小径円筒部１０１ａの他端部に係止されることより、スペーサー２の遊動や脱落が防止され、スペーサー２が形成する第２ストッパーの作動が安定する。
コ字状断面に形成したスペーサー２に、スプライン１０１ｄと係合可能なスプラインを形成しても良い。コ字状断面に形成したスペーサー２のケーシング小径円筒部１０１ａに対する周方向の係止位置を容易に調整することができ、吐出水温度の最高値を容易に調整することができる。
【００１６】
【発明の効果】
上記説明から分かるように、本発明に係るシングルレバー混合水栓用回転ストッパーにおいては、ストッパー機構が、ケーシング小径円筒部の、大径円筒部から離隔する側の端部に在るので、操作レバーの回転範囲を更に抑制して熱湯の吐出を阻止したい場合等に、更なるストッパー機構を容易に後付けすることができる。
【図面の簡単な説明】
【図１】本発明の実施例に係る回転ストッパーを備えるシングルレバー混合水栓のディスク式バルブユニットの斜視図である。
【図２】シングルレバー混合水栓の断面図である。
【図３】本発明の実施例に係る回転ストッパーを備えるシングルレバー混合水栓のディスク式バルブユニットの分解斜視図である。
【図４】本発明の実施例に係る回転ストッパーを備えるシングルレバー混合水栓のディスク式バルブユニットの斜視図である。
【図５】本発明の実施例に係る回転ストッパーを備えるシングルレバー混合水栓のディスク式バルブユニットの斜視図である。
【図６】本発明の実施例に係る回転ストッパーを備えるシングルレバー混合水栓のディスク式バルブユニットの斜視図である。
【図７】本発明の他の実施例に係る回転ストッパーの側面図である。
【符号の説明】
１　第２回転ストッパー
１ｃ　回転ストッパー突起
１ｄ　スプライン
２　スペーサー
１００　ディスク式バルブユニット
１０１　ケーシング
１０１ａ　小径円筒部
１０１ｂ　大径円筒部
１０１ｄ　スプライン
１０１ｃ　回転ストッパー突起
１０３　レバーガイド
１０３ａ、１０３ｂ　回転ストッパー面
３００　操作レバー
【図１】
2004092693.tif 000003
【図２】
2004092693.tif 000004
【図３】
2004092693.tif 000005
【図４】
2004092693.tif 000006
【図５】
2004092693.tif 000007
【図６】
2004092693.tif 000008
【図７】
2004092693.tif 000009